(57)【要約】ＣＤＭＡ網はハード・ハンドオフ（ＨＨＯ）ターゲット集合を動的に生成して移動局のＨＨＯをサポートする。ＣＤＭＡチャンネルまたはセルをＨＨＯのターゲットとして動的に識別することにより、ＨＨＯのターゲット集合を静的に形成する必要をなくす。或る例示的な実施の形態では、ソースＢＳＳはアクティブ集合パイロットおよび／または報告されたＰＢＵパイロットに関連するセルの共通隣接セルに対応するチャンネルの第１の集合を識別する。ソフト・ハンドオフ・ターゲット・チャンネルを含む全ての共通隣接セルを除くことにより、またアクティブ集合パイロットおよび／または報告されたＰＢＵパイロットの選択された垂直隣接チャンネルを追加することにより、この第１の集合を調整してよい。第１の集合内のチャンネルを搬送波周波数によりグループ化し、ＣＤＭＡチャンネル・タイプと、ＢＳＳ所属および特性と、ターゲットのアクティブ集合に対する関係とに基づいて評価して、好ましいＨＨＯターゲット集合を識別してよい。かかる操作により、ＢＳＳ間ＨＨＯとＢＳＳ内ＨＨＯのどちらを実行するかを動的に決定することができる。
2006514477.tif 000002
【特許請求の範囲】
【請求項１】
無線通信網内で移動局のハード・ハンドオフをサポートする方法であって、
前記移動局の現在のアクティブ集合情報を保持し、
前記移動局のハード・ハンドオフ・トリガに応じて前記現在のアクティブ集合情報に基づいて１つ以上のＣＤＭＡチャンネルまたはセルをハード・ハンドオフ・ターゲットと識別してハード・ハンドオフ・ターゲット集合を動的に生成する、
ことを含む前記ハード・ハンドオフをサポートする方法。
【請求項２】
前記ハード・ハンドオフがＢＳＳ間ハード・ハンドオフの場合は、動的に生成されたハード・ハンドオフ・ターゲット集合のターゲット集合情報をソース基地局システム（ＢＳＳ）からターゲットＢＳＳに転送することを更に含む、請求項１記載のハード・ハンドオフをサポートする方法。
【請求項３】
ＣＤＭＡチャンネル当たりを基準にターゲット集合のサイズ制限を定義して、前記移動局のために生成された前記ハード・ハンドオフ・ターゲット集合のサイズを前記移動局の現在の位置の関数として制御することを更に含む、請求項１記載のハード・ハンドオフをサポートする方法。
【請求項４】
大容量のサービス・エリア内のＣＤＭＡチャンネルでは比較的小さなターゲット集合のサイズ制限を定義し、また小容量のサービス・エリア内のＣＤＭＡチャンネルでは比較的大きなターゲット集合のサイズ制限を定義することを更に含む、請求項３記載のハード・ハンドオフをサポートする方法。
【請求項５】
ターゲット集合サイズが大きくなるに従って高くなるハード・ハンドオフの信頼性と、ターゲット集合サイズが大きくなるに従って低くなる容量使用効率とのバランスに基づいて或るＣＤＭＡチャンネルの前記ターゲット集合のサイズ制限を設定することを更に含む、請求項３記載のハード・ハンドオフをサポートする方法。
【請求項６】
前記ハード・ハンドオフ・ターゲット集合を動的に生成することは、前記アクティブ集合内のパイロットに対応するセルの隣接リスト情報を用いて共通隣接セルの集合を識別し、少なくとも部分的に前記共通隣接セルの集合に基づいてＣＤＭＡチャンネルの第１の集合を識別し、少なくともチャンネル・タイプと基地局システム（ＢＳＳ）所属とに基づいて前記第１の集合内のＣＤＭＡチャンネルを評価して１つ以上のＣＤＭＡチャンネルをハード・ハンドオフ・ターゲット集合の要素と識別することを含む、請求項１記載のハード・ハンドオフをサポートする方法。
【請求項７】
前記共通隣接集合を識別することは、ソフト・ハンドオフの候補セルを前記共通隣接セルの集合から除くことを含むので、ＣＤＭＡチャンネルの第１の集合は前記移動局のソフト・ハンドオフに用いることができるセルに属さない、請求項６記載のハード・ハンドオフをサポートする方法。
【請求項８】
ＣＤＭＡチャンネルの前記第１の集合を識別することは前記共通隣接セル集合に関連するＣＤＭＡチャンネルを識別することを含み、またアクティブ集合パイロットの、または任意の報告されたパイロット・ビーコン・ユニット（ＰＢＵ）パイロットの１つ以上の、または前記アクティブ集合パイロットと任意の報告されたＰＢＵパイロットの１つ以上の、垂直隣接ＣＤＭＡチャンネルを識別することを選択的に含む、請求項６記載のハード・ハンドオフをサポートする方法。
【請求項９】
前記第１の集合内のＣＤＭＡチャンネルを評価することは、搬送波周波数によりチャンネル部分集合を生成することと、チャンネル・タイプと部分集合当たりのＢＳＳ所属とを評価して或る好ましい部分集合を或る定義された集合のサイズ制限に従うターゲット集合と識別することとを含む、請求項６記載のハード・ハンドオフをサポートする方法。
【請求項１０】
前記第１の集合内のＣＤＭＡチャンネルを評価することは、ＢＳＳ互換性を評価することを含む部分集合当たりのＢＳＳ特性を評価することを含む、請求項９記載のハード・ハンドオフをサポートする方法。
【請求項１１】
トリガするパイロットに対応するＣＤＭＡチャンネルを識別し、またその対応するＣＤＭＡチャンネルについて定義されたサイズ制限値に基づいて前記ターゲット集合のサイズを制限することを更に含む、請求項９記載のハード・ハンドオフをサポートする方法。
【請求項１２】
前記ハード・ハンドオフ・ターゲット集合を動的に生成することは、前記移動局のアクティブ集合内の全てのパイロットの少なくとも隣接リスト情報を用いてＣＤＭＡチャンネルの第１の集合を識別することと、前記第１の集合から１つ以上のＣＤＭＡチャンネルを前記移動局のハード・ハンドオフのための選択されたターゲットとして選択することとを含む、請求項１記載のハード・ハンドオフをサポートする方法。
【請求項１３】
前記第１の集合から前記１つ以上のＣＤＭＡチャンネルを前記移動局のハード・ハンドオフのための選択されたターゲットとして選択することは、ＣＤＭＡ搬送波周波数に基づいて前記第１の集合内のＣＤＭＡチャンネルをグループ化して１つ以上の部分集合を作ることと、部分集合毎に相対的選択の選好を決定することと、最も好ましい部分集合内の少なくとも複数のＣＤＭＡチャンネルを前記選択されたターゲットとして選択することとを含む、請求項１２記載のハード・ハンドオフをサポートする方法。
【請求項１４】
前記ハード・ハンドオフ・トリガが往復遅延値（ＲＴＤ）ベースのトリガの場合は、前記ハード・ハンドオフ・ターゲット集合を動的に生成することは、前記アクティブ集合内の全てのパイロットの隣接リスト情報と前記アクティブ集合内の１つ以上のパイロットの垂直隣接チャンネル情報とを用いて、可能なターゲットであるＣＤＭＡチャンネルを識別することを含む、請求項１記載のハード・ハンドオフをサポートする方法。
【請求項１５】
前記ハード・ハンドオフ・トリガがＰＢＵベースのトリガの場合は、前記ハード・ハンドオフ・ターゲット集合を動的に生成することは、移動局のアクティブ集合内の全てのパイロットの隣接リスト情報と、前記移動局が報告する任意のパイロット・ビーコン・ユニット（ＰＢＵ）パイロットの隣接リスト情報と、前記アクティブ集合内の全てのパイロットと前記報告されたＰＢＵパイロットの１つ以上の垂直隣接チャンネル情報とを用いて、可能なターゲットであるＣＤＭＡチャンネルを識別することを含む、請求項１記載のハード・ハンドオフをサポートする方法。
【請求項１６】
前記ハード・ハンドオフ・ターゲット集合を動的に生成することは、
前記アクティブ集合内で識別された全てのパイロットに関連するセルの隣接リスト情報に基づいて共通隣接セル集合を生成し、
前記共通隣接セル集合からソフト・ハンドオフの候補セルである任意のセルを除き、
前記共通隣接セル集合内の残りのセルに対応するＣＤＭＡチャンネルを識別することによりハード・ハンドオフの可能なターゲットであるＣＤＭＡチャンネルの第１の集合を生成し、
ＣＤＭＡチャンネルの前記第１の集合を、選択された垂直隣接ＣＤＭＡチャンネル、もしあれば、で補足し、
搬送波周波数に基づいてＣＤＭＡチャンネルの前記第１の集合を評価して基地局システム（ＢＳＳ）内またはＢＳＳ間のハード・ハンドオフを実行するかどうか決定し、また前記ハード・ハンドオフ・ターゲット集合に含まれる前記第１の集合内の特定の１つのＣＤＭＡチャンネルを識別する、
ことを含む、請求項１記載のハード・ハンドオフをサポートする方法。
【請求項１７】
前記ハード・ハンドオフ・トリガがＰＢＵベースのトリガの場合は、前記ハード・ハンドオフ・ターゲット集合を動的に生成することは、前記アクティブ集合内のパイロットに対応しまた前記移動局が報告する任意のパイロット・ビーコン・ユニット（ＰＢＵ）に対応するセルの隣接リスト情報に基づいてセルの第１の集合を識別することを含む、請求項１記載のハード・ハンドオフをサポートする方法。
【請求項１８】
前記アクティブ集合内のパイロットに対応しまた前記移動局が報告する任意のパイロット・ビーコン・ユニット（ＰＢＵ）に対応するセルの隣接リスト情報に基づいてセルの第１の集合を識別することは、トリガするＰＢＵ隣接リスト情報と、アクティブ集合とＰＢＵ集合の隣接リスト情報の結合との交差として形成されるセルの集合に関連するＣＤＭＡチャンネルを識別することを含む、請求項１７記載のハード・ハンドオフをサポートする方法。
【請求項１９】
前記アクティブ集合内のパイロットと、オプションの前記報告されたＰＢＵパイロットの１つ以上との垂直隣接チャンネル、もしあれば、をＣＤＭＡチャンネルの前記第１の集合に追加することを更に含む、請求項１７記載のハード・ハンドオフをサポートする方法。
【請求項２０】
前記トリガするＰＢＵパイロットを全ての報告されたＰＢＵパイロットの最も強いものと識別することを更に含む、請求項１９記載のハード・ハンドオフをサポートする方法。
【請求項２１】
ハード・ハンドオフ・ターゲット集合内の１つ以上の周波数の１つ以上のＣＤＭＡチャンネルを識別するハード・ハンドオフ・ターゲット集合情報を前記移動局に転送し、
前記ハード・ハンドオフ・ターゲット集合内で識別された前記１つ以上のＣＤＭＡチャンネルの少なくとも１つの信号強度測定値を前記移動局から受ける、
ことを更に含む請求項１記載のハード・ハンドオフをサポートする方法。
【請求項２２】
前記移動局から返された前記信号強度測定値に基づいて前記ハード・ハンドオフ・ターゲット集合内のＣＤＭＡチャンネルの１つ以上を除くことを更に含む、請求項２１記載のハード・ハンドオフをサポートする方法。
【請求項２３】
前記移動局から返された前記信号強度測定値に基づいて前記ハード・ハンドオフ・ターゲット集合内の１つ以上のＣＤＭＡチャンネルに相対的選好を割り付けることを更に含む、請求項２１記載のハード・ハンドオフをサポートする方法。
【請求項２４】
前記ターゲット集合内で識別された前記１つ以上のＣＤＭＡチャンネルの少なくとも１つの信号強度測定値を前記移動局から受けることは、前記少なくとも１つのＣＤＭＡチャンネルのパイロット強度報告を受けることを含む、請求項２１記載のハード・ハンドオフをサポートする方法。
【請求項２５】
前記移動局で、現在の周波数設定から新しい周波数設定に一時的に切り替えて少なくとも１つのＣＤＭＡチャンネルの信号強度測定値を得ることを更に含む、請求項２１記載のハード・ハンドオフをサポートする方法。
【請求項２６】
前記動的に生成されたＨＨＯターゲット集合は第１の最も好ましいターゲット集合であり、また第２の余り好ましくないＨＨＯターゲット集合を生成することを含む、請求項１記載のハード・ハンドオフをサポートする方法。
【請求項２７】
前記第１および第２のターゲット集合を用いて前記移動局の基地局システム（ＢＳＳ）内ＨＨＯの最適資源割当てを行うことを更に含む、請求項２６記載のハード・ハンドオフをサポートする方法。
【請求項２８】
十分な無線リンク資源を前記第１のターゲット集合から割り当てることができない場合は、前記第２のターゲット集合に基づいて前記移動局の基地局システム（ＢＳＳ）内ＨＨＯに無線リンク資源を割り当てることを更に含む、請求項２６記載のハード・ハンドオフをサポートする方法。
【請求項２９】
前記第１および第２のターゲット集合は異なる周波数のＣＤＭＡチャンネルを含む、請求項２６記載のハード・ハンドオフをサポートする方法。
【請求項３０】
無線通信網内で移動局のハード・ハンドオフをサポートする、処理および制御回路を含む基地局コントローラ（ＢＳＣ）であって、
移動局の現在のアクティブ集合情報を保持し、
前記移動局のハード・ハンドオフ・トリガに応じて前記現在のアクティブ集合情報に基づいて１つ以上のＣＤＭＡチャンネルまたはセルをハード・ハンドオフ・ターゲットと識別してハード・ハンドオフ・ターゲット集合を動的に生成する、
よう形成された前記基地局コントローラ（ＢＳＣ）。
【請求項３１】
前記動的に生成されたターゲット集合から決定されたハード・ハンドオフのタイプがＢＳＳ間ハード・ハンドオフの場合は、前記ＢＳＣは前記動的に生成されたハード・ハンドオフ・ターゲット集合のターゲット集合情報をターゲット基地局システム（ＢＳＳ）に更に転送する、請求項３０記載の基地局コントローラ（ＢＳＣ）。
【請求項３２】
前記ＢＳＣはＣＤＭＡチャンネル当たりを基準にターゲット集合のサイズ制限を与えて、前記移動局のために生成された前記ハード・ハンドオフ・ターゲット集合のサイズを前記移動局の現在の位置の関数として制御する、請求項３０記載の基地局コントローラ（ＢＳＣ）。
【請求項３３】
前記ＢＳＣは大容量のサービス・エリア内のＣＤＭＡチャンネルでは比較的小さなターゲット集合のサイズ制限を定義し、また小容量のサービス・エリア内のＣＤＭＡチャンネルでは比較的大きなターゲット集合のサイズ制限を定義する、請求項３２記載の基地局コントローラ（ＢＳＣ）。
【請求項３４】
前記ＢＳＣは、ターゲット集合サイズが大きくなるに従って高くなるハード・ハンドオフの信頼性と、ターゲット集合サイズが大きくなるに従って低くなる容量使用効率とのバランスに基づいて或るＣＤＭＡチャンネルの前記ターゲット集合のサイズ制限を設定する、請求項３２記載の基地局コントローラ（ＢＳＣ）。
【請求項３５】
前記ＢＳＣは、前記アクティブ集合内のパイロットに対応するセルの隣接リスト情報を用いて共通隣接セルの集合を識別することにより少なくとも部分的に前記ハード・ハンドオフ・ターゲット集合を動的に生成し、少なくとも部分的に前記共通隣接セルの集合に基づいてＣＤＭＡチャンネルの第１の集合を識別し、少なくともチャンネル・タイプと基地局システム（ＢＳＳ）所属とに基づいて前記第１の集合内のＣＤＭＡチャンネルを評価して１つ以上のＣＤＭＡチャンネルを前記ハード・ハンドオフ・ターゲット集合の要素と識別する、請求項３０記載の基地局コントローラ（ＢＳＣ）。
【請求項３６】
前記ＢＳＣはＢＳＳ互換性を含むＢＳＳ特性に基づいて他のＢＳＳに対応する第１の集合内のＣＤＭＡチャンネルを更に評価して、１つ以上のＣＤＭＡを前記ハード・ハンドオフ・ターゲット集合の要素と識別する、請求項３５記載の基地局コントローラ（ＢＳＣ）。
【請求項３７】
前記ＢＳＣはソフト・ハンドオフの候補セルを前記共通隣接セルの集合から除くので、ＣＤＭＡチャンネルの前記第１の集合は前記移動局のソフト・ハンドオフに用いることができるセルに属さない、請求項３５記載の基地局コントローラ（ＢＳＣ）。
【請求項３８】
前記ＢＳＣは、全てのソフト・ハンドオフの候補セルを除いた後で前記共通隣接セル集合に関連するＣＤＭＡチャンネルを識別することによりＣＤＭＡチャンネルの前記第１の集合を識別し、アクティブ集合パイロットの、または任意の報告されたパイロット・ビーコン・ユニット（ＰＢＵ）パイロットの１つ以上の、または前記アクティブ集合パイロットと任意の報告されたＰＢＵパイロットの１つ以上の、垂直隣接ＣＤＭＡチャンネルをＣＤＭＡチャンネルの前記第１の集合内に選択的に更に含む、請求項３５記載の基地局コントローラ（ＢＳＣ）。
【請求項３９】
前記ＢＳＣは搬送波周波数によりチャンネル部分集合を生成することにより前記第１の集合内のＣＤＭＡチャンネルを評価し、またチャンネル・タイプと部分集合当たりのＢＳＳ所属とを評価して或る好ましい部分集合を或る定義された集合サイズ制限に従うターゲット集合と識別する、請求項３５記載の基地局コントローラ（ＢＳＣ）。
【請求項４０】
前記ＢＳＣは前記トリガするパイロットに対応するＣＤＭＡチャンネルを識別し、またその対応するＣＤＭＡチャンネルについて定義されたサイズ制限値に基づいて前記動的に生成されたハード・ハンドオフ・ターゲット集合のサイズを制限する、請求項３９記載の基地局コントローラ（ＢＳＣ）。
【請求項４１】
前記ＢＳＣは前記移動局のアクティブ集合内の全てのパイロットの少なくとも隣接リスト情報を用いてＣＤＭＡチャンネルの第１の集合を識別することにより前記ハード・ハンドオフ・ターゲット集合を動的に生成し、また前記第１の集合から１つ以上のＣＤＭＡチャンネルを前記移動局のハード・ハンドオフのための選択されたターゲットとして選択する、請求項３０記載の基地局コントローラ（ＢＳＣ）。
【請求項４２】
前記ＢＳＣは、ＣＤＭＡ搬送波周波数に基づいて前記第１の集合内のＣＤＭＡチャンネルをグループ化して１つ以上の部分集合を作ることにより、前記第１の集合から１つ以上のＣＤＭＡチャンネルを前記移動局のハード・ハンドオフのための選択されたターゲットとして選択し、部分集合毎に相対的選択の選好を決定し、最も好ましい部分集合内の少なくとも複数のＣＤＭＡチャンネルを前記選択されたターゲットとして選択する、請求項４１記載の基地局コントローラ（ＢＳＣ）。
【請求項４３】
前記ハード・ハンドオフ・トリガが往復遅延値（ＲＴＤ）ベースのトリガの場合は、前記ＢＳＣは前記アクティブ集合内の全てのパイロットの隣接リスト情報と前記アクティブ集合内の１つ以上のパイロットの垂直隣接チャンネル情報とを用いて、ハード・ハンドオフの可能なターゲットであるＣＤＭＡチャンネルを識別することにより前記ハード・ハンドオフ・ターゲット集合を動的に生成する、請求項３０記載の基地局コントローラ（ＢＳＣ）。
【請求項４４】
前記ハード・ハンドオフ・トリガがＰＢＵベースのトリガの場合は、前記ＢＳＣは、移動局の前記アクティブ集合内の全てのパイロットの隣接リスト情報と、前記移動局が報告する任意のパイロット・ビーコン・ユニット（ＰＢＵ）パイロットの隣接リスト情報と、前記アクティブ集合内の全てのパイロットと前記報告されたＰＢＵパイロットの１つ以上の垂直隣接チャンネル情報とを用いて、可能なターゲットであるＣＤＭＡチャンネルを識別することにより前記ハード・ハンドオフ・ターゲット集合を動的に生成する、請求項３０記載の基地局コントローラ（ＢＳＣ）。
【請求項４５】
前記ＢＳＣは、
前記アクティブ集合内で識別された全てのパイロットに関連するセルの隣接リスト情報に基づいて共通隣接セル集合を生成し、
前記共通隣接セル集合からソフト・ハンドオフの候補セルである任意のセルを除き、
前記共通隣接セル集合内の残りのセルに対応するＣＤＭＡチャンネルを識別することによりハード・ハンドオフの可能なターゲットであるＣＤＭＡチャンネルの第１の集合を生成し、
ＣＤＭＡチャンネルの前記第１の集合を、選択された垂直隣接ＣＤＭＡチャンネル、もしあれば、で補足し、
搬送波周波数に基づいてＣＤＭＡチャンネルの前記第１の集合を評価して基地局システム（ＢＳＳ）内またはＢＳＳ間のハード・ハンドオフを実行するかどうか決定し、また前記ハード・ハンドオフ・ターゲット集合内に含まれる前記第１の集合内の特定の１つのＣＤＭＡチャンネルを識別する、
ことにより前記ハード・ハンドオフ・ターゲット集合を動的に生成する、請求項３０記載の基地局コントローラ（ＢＳＣ）。
【請求項４６】
前記ハード・ハンドオフ・トリガがＰＢＵベースのトリガの場合は、前記ＢＳＣは、前記アクティブ集合内のパイロットに対応しまた前記移動局が報告する任意のパイロット・ビーコン・ユニット（ＰＢＵ）に対応するセルの隣接リスト情報に基づいてセルの第１の集合を識別することにより前記ハード・ハンドオフ・ターゲット集合を動的に生成する、請求項３０記載の基地局コントローラ（ＢＳＣ）。
【請求項４７】
前記ＢＳＣはハード・ハンドオフ・ターゲット集合情報を前記移動局に転送し、また前記ハード・ハンドオフ・ターゲット集合内で識別された前記１つ以上のＣＤＭＡチャンネルの少なくとも１つの信号強度測定値を前記移動局から受ける、請求項３０記載の基地局コントローラ（ＢＳＣ）。
【請求項４８】
前記ＢＳＣは前記移動局から返された前記信号強度測定値に基づいて前記ハード・ハンドオフ・ターゲット集合内のＣＤＭＡチャンネルの１つ以上を除く、請求項４７記載の基地局コントローラ（ＢＳＣ）。
【請求項４９】
前記ＢＳＣは前記移動局から返された前記信号強度測定値に基づいて前記ハード・ハンドオフ・ターゲット集合内の１つ以上のＣＤＭＡチャンネルに相対的選好を割り付ける、請求項４７記載の基地局コントローラ（ＢＳＣ）。
【請求項５０】
前記ＢＳＣは前記少なくとも１つのＣＤＭＡチャンネルのパイロット強度報告を前記移動局から受ける、請求項４７記載の基地局コントローラ（ＢＳＣ）。
【請求項５１】
前記動的に生成されたＨＨＯターゲット集合は第１の最も好ましいターゲット集合であり、また前記ＢＳＣは第２の余り好ましくないＨＨＯターゲット集合を更に生成する、請求項３０記載の基地局コントローラ（ＢＳＣ）。
【請求項５２】
前記ＢＳＣは前記第１および第２のターゲット集合を用いて前記移動局の基地局システム（ＢＳＳ）内ＨＨＯの最適資源割当てを行う、請求項５１記載の基地局コントローラ（ＢＳＣ）。
【請求項５３】
十分な無線リンク資源を前記第１のターゲット集合から割り当てることができない場合は、前記ＢＳＣは前記第２のターゲット集合に基づいて前記移動局の基地局システム（ＢＳＳ）内ＨＨＯに無線リンク資源を割り当てる、請求項５１記載の基地局コントローラ（ＢＳＣ）。
【請求項５４】
前記第１および第２のターゲット集合は異なる周波数のＣＤＭＡチャンネルを含む、請求項５１記載の基地局コントローラ（ＢＳＣ）。
【発明の詳細な説明】
【技術分野】
【０００１】
本発明は一般に多周波ＣＤＭＡ網内のハード・ハンドオフに関するもので、特にハード・ハンドオフ・ターゲットの動的生成に関するものである。
【背景技術】
【０００２】
移動体通信網（例えば、セルラ網）は一般に複数の定義されたセルと呼ばれるサービス・エリアで構成する。符号分割多重接続（ＣＤＭＡ）技術に基づくネットワークでは、各セルは少なくとも１つのＣＤＭＡチャンネルを用いる。これはそのセル内の移動局とネットワークとの間で所定の搬送波周波数で行われる通信をサポートする順方向および逆方向の無線リンクの集団を表す。この意味で、各ＣＤＭＡチャンネルは或る搬送波周波数と或るサービス・エリアすなわちセルとの交差と考えてよい。１つのセル内で多重搬送波周波数が用いられる場合は、そのセルはそれぞれが異なる搬送波周波数で動作する同じ多重のＣＤＭＡチャンネルを提供する。詳しく述べると、一般的なＣＤＭＡチャンネルは定義された順方向リンクと逆方向リンクの周波数対に基づくと理解すべきである。
【０００３】
或る移動局がサービスを受けることを許されると、これに無線リンク資源が或る搬送波周波数の少なくとも１つのＣＤＭＡチャンネルで割り当てられる。例えば、この移動局に或る順方向／逆方向リンクの周波数対が割り当てられる。この移動局がその接続を保ったままセル間を移動すると、ネットワークは必要な無線リンク資源をその新しいサービス位置に関連するＣＤＭＡチャンネルで割り当てる。無線サービスを１つのＣＤＭＡチャンネルから別のＣＤＭＡチャンネルに移すことを「ハンドオフ」と呼ぶ。
【０００４】
移動局が２つ以上のＣＤＭＡチャンネルから同時にサービスを受ける「ソフト・ハンドオフ」を用いることにより、ＣＤＭＡ網はハンドオフ中のサービスの信頼性を高めることができる。ソフト・ハンドオフはメイク・ビフォア・ブレイク・ハンドオフと呼ばれる。なぜなら、移動局から見ると、順方向リンク・サービスは移動局の現在のＣＤＭＡチャンネルで終わる前に新しいＣＤＭＡチャンネルで始まるからである。実際に、移動局は３つ以上のＣＤＭＡチャンネルから同時にサービスを受ける地理的位置にあってよい。もちろん、ソフト・ハンドオフの利点とシステム資源の消費とはバランスを取らなければならない。なぜなら、ソフト・ハンドオフのサービスを受けるのに用いる各ＣＤＭＡチャンネルで移動局に無線リンク資源を割り当てなければならないからである。
【０００５】
ソフト・ハンドオフは常に望ましいわけではなく、または常に可能でもない。例えば、移動局が移る新しいセルは現在の搬送波周波数のＣＤＭＡチャンネルを提供しないことがある。例えば、周波数Ｆ２のＣＤＭＡチャンネルで動作するセルＡ内に移動局があるとする。このチャンネルをＦ２Ａで表し、ＣＤＭＡチャンネルがセルＡ内のＦ２に対応することを示す。次に、搬送波周波数Ｆ１だけで動作するセルＢに向かってこの移動局が移動を始めるとする。すなわち、セルＢ内で利用可能な唯一のＣＤＭＡチャンネルはＦ１Ｂである。
【０００６】
移動局は一度に１つの搬送波周波数だけで動作するので、Ｆ２ＡとＦ１Ｂの両方でサービスを受けることはできない。したがって、ソフト・ハンドオフではなく「ハード・ハンドオフ」を行わなければならない。ハード・ハンドオフは一般に、上の例のように、ハードな周波数ハンドオフから生じるブレイク・ビフォア・メイク・ハンドオフである。ハード・ハンドオフは、呼の制御が１つの基地局システム（ＢＳＳ）から別のＢＳＳに移るときにも必要である。実際のところ、ハード・ハンドオフのタイプはＢＳＳ内とＢＳＳ間とを含む。後者の場合は、ＭＳＣ内（同じＭＳＣ）またはＭＳＣ間（異なるＭＳＣ）のタイプのハード・ハンドオフである。
【０００７】
これらの広いハード・ハンドオフのタイプの中で、２つの代表的なハード・ハンドオフをトリガする機構がある。第１の機構は、或る移動局と或るＲＢＳとの間の往復の信号遅延の尺度である往復遅延値（ＲＴＤ）に基づく。遅延時間は距離に比例するので、ＲＴＤ値は、移動局が移動して現在のセル内でサービスするＲＢＳから非常に離れたので別のセルにハンドオフするのが適当であるときを検出するのに用いてよい。
【０００８】
第２の共通のハード・ハンドオフをトリガする機構は、システム間の移行を示す特殊な境界セルをマークする特殊なパイロット信号送信機であるパイロット・ビーコン・ユニット（ＰＢＵ）を含む。移動局が観測されたパイロット信号の強度を報告すると、移動局の現在のＢＳＳ内の基地局コントローラ（ＢＳＣ）は移動局からのパイロット強度測定メッセージ（ＰＳＭＭ）内にＰＢＵチャンネル・パイロットが存在することを認識することができる。したがって、移動局からのパイロット信号報告内に１つ以上のＰＢＵパイロットが存在すると、現在のＢＳＣは移動局が別のシステムに関連するセルに向かって移動していることを認識する。
【発明の開示】
【発明が解決しようとする課題】
【０００９】
トリガ機構に関わらず、従来のネットワーク内のハード・ハンドオフは予め形成されたハンドオフ・ターゲットを用いることに依存する。この方法では、ネットワーク内の各セルは、例えばネットワークを準備する操作の一部として指定された、定義されたハンドオフ・ターゲットを有する。セルを追加および／または変更するなどによりネットワークが変化すると、ハンドオフ・ターゲット情報を保持し、更新し、その一貫性を確認しなければならないので大きな保全オーバーヘッドが生じる。
【００１０】
かかる構成の選択の中から、システム・オペレータは所定のＣＤＭＡチャンネル（ＢＳＳ間、ＢＳＳ内）で行われるハード・ハンドオフのタイプを予め形成する必要があり、また全ての考えられる利用可能なターゲット周波数と利用可能なセルを明示的に形成する必要がある。かかるハード・ハンドオフ構成は静的な性質を有するので、かかるネットワークは現在の無線周波数（ＲＦ）の状態、ＣＤＭＡチャンネルの利用可能性などの動的な知識から得られる利点を持たない。その結果、静的に形成されたハード・ハンドオフのタイプとターゲットはしばしば、楽観的すぎてハンドオフが失敗しまたサービスが中断するか、または悲観的すぎてネットワーク資源の使用効率が低下することになる。
【００１１】
したがって、移動局のハード・ハンドオフのために１つ以上のターゲットを動的に決定するハード・ハンドオフ方法が必要である。好ましくはこの動的方法は、無線の状態と資源の利用可能性とを考慮し、そして大量の静的に形成されたハード・ハンドオフ・ターゲット情報を必要としないものである。
【課題を解決するための手段】
【００１２】
本発明は、無線ネットワーク内の移動局のハード・ハンドオフ（ＨＨＯ）をサポートするためのハード・ハンドオフ・ターゲット情報を動的に生成する方法と装置とを含む。動的に生成されたターゲット情報は１つ以上のターゲットＣＤＭＡチャンネルを識別してよく、または例えば資源の利用可能性に基づいてＣＤＭＡチャンネルを選択する元となる１つ以上セルを識別してよい。しかし例として示す実施の形態では、動的なターゲット集合の生成は移動局のアクティブ集合に基づき、また追加のパラメータ（ＣＤＭＡチャンネルの状態や、用いるＣＤＭＡターゲット・チャンネルの最大数を抑制するターゲット集合のサイズ制限など）に更に基づいてよい。これはＨＨＯの信頼性とネットワーク容量の使用効率との間の望ましいバランスを保つようにＣＤＭＡチャンネル当たりを基礎に形成してよい。
【００１３】
１つ以上の例示的な実施の形態では、ソース基地局コントローラ（ＢＳＣ）は、或る移動局のＨＨＯをサポートするＣＤＭＡチャンネルまたはセルのＨＨＯターゲット集合を動的に生成する。基地局システム（ＢＳＳ）内ＨＨＯでは、ＢＳＣは２つのＨＨＯターゲット集合を生成してよい。すなわち、第１は最も好ましいターゲット集合であり、第２は余り好ましくないターゲット集合である。これらの２つのターゲット集合は異なる周波数のＣＤＭＡチャンネルを含んでよい。しかし、例として示すＢＳＣは最適な無線リンク資源割当てを行うのに両方のターゲット集合を用いてよく、または第１の一層好ましいターゲット集合から十分な資源が利用できないと判定した場合は第２のターゲット集合を用いてよい。
【００１４】
動的ターゲット生成の詳細を述べると、例として示す動的ターゲットの生成は移動局のアクティブ集合内で識別されるパイロットに対応するセルに関連する隣接リスト情報の処理に基づいて「共通隣接」セルを識別することを含み、またＰＢＵベースのＨＨＯトリガでは、例えばパイロット強度測定メッセージ（ＰＳＭＭ）で移動局が報告する全てのＰＢＵパイロットの隣接リスト情報を考慮することを更に含む。しかし、ＣＤＭＡチャンネルの第１の集合は隣接リスト情報を処理することに基づいて識別され、またオプションで「垂直隣接」チャンネル（もしあれば）の追加に基づいて識別される。ＲＴＤベースのＨＨＯトリガでは、注目する垂直隣接チャンネルは、トリガするアクティブ集合パイロットと同じセル内にあるが移動局の現在の周波数割当て以外であるＣＤＭＡチャンネル（もしあれば）である。ＰＢＵベースのＨＨＯトリガでは、垂直隣接チャンネルは移動局が報告する任意のＰＢＵパイロットの１つ以上の非ＰＢＵ垂直隣接チャンネル、および／またはアクティブ集合パイロットの垂直隣接チャンネルである。
【００１５】
ＣＤＭＡチャンネルの第１の集合を識別すると、本発明の例示的な実施の形態ではかかるチャンネルをターゲット・チャンネルを実際に選択するために評価してよい。かかる評価は、例えばかかるチャンネルをグループ化してＣＤＭＡ搬送波周波数に従って部分集合を作ることに基づいてよい。したがって、多重搬送波ＣＤＭＡ網では、チャンネルの第１の集合で表される種々の搬送波周波数と同じ数の部分集合があってよい。部分集合を評価して、それらの間の相対的な選好を決定してよい。１つの実施の形態では、各部分集合内のチャンネルに関連する１つ以上のチャンネル・パラメータに基づいて部分集合を分類する。この例示的な方法では、部分集合内のチャンネル毎にチャンネル・タイプ（例えば、標準タイプまたは境界タイプのチャンネル）とシステム所属（例えば、同一システムまたは外部システム）を決定し、これに基づいて各部分集合を評価する。部分集合内の垂直隣接チャンネルの数や、移動局の現在のサービス・パラメータに対する個別のチャンネルのシステム互換性などの追加のパラメータを考慮してよい。
【００１６】
一般に、標準チャンネルの方が境界チャンネルより好ましく、垂直隣接チャンネルの方が非垂直隣接チャンネルより好ましく、また同一システム・チャンネルの方が外部システム・チャンネルより好ましい。したがって、周波数部分集合を評価するのに、ＢＢＳ内ＨＨＯの方がＢＳＳ間ＨＨＯより好ましいとしてＣＤＭＡチャンネル・ターゲットを選択してよいが、かかる選好は別の一層複雑な考慮に基づいてよい。例えば、チャンネルの第１の部分集合はＢＳＳ内ＨＨＯを許可するが第２の部分集合はＢＳＳ間ＨＨＯを要求する場合は、第１の部分集合内の複数のまたは全てのチャンネルが境界タイプのチャンネルの場合は、ターゲット集合の生成に用いるのに第２の部分集合を選択してもよい。
【００１７】
１つの部分集合を他の部分集合より好む別の基準は、部分集合内の垂直隣接ＣＤＭＡチャンネルと共通隣接ＣＤＭＡチャンネルとの混合を考慮することを含む。したがって、全ての他のパラメータが同じ場合は、１つ以上の例示的な実施の形態において本発明の方法は垂直隣接チャンネルを多く含む部分集合の方を選好する。或るセル内の垂直隣接チャンネルの定義が、同じセル内のＣＤＭＡチャンネルであるが異なる搬送波周波数で動作するものであることを考えれば、かかる選好はより良く理解される。
【００１８】
また実際のターゲット集合は、チャンネルの選択された部分集合内の全てより少ないチャンネルに基づいて生成される。例えば、ネットワークはＣＤＭＡチャンネル当たりを基準にしてターゲット集合のサイズ制限を定義してよい。したがって、例えば、移動局のアクティブ集合内のトリガするパイロットに対応する記憶されたＣＤＭＡチャンネルの集合のサイズ制限を用いて、ＨＨＯターゲット・チャンネルとして用いるＣＤＭＡチャンネルの数を減らしてよい。かかるチャンネル当たりのターゲット集合のサイズ制限を用いることにより、ネットワークはＨＨＯの信頼性（ＨＨＯのために多くの数のターゲット・チャンネルを用いるほど信頼性は高くなる）と容量使用効率（ＨＨＯのために多くの数のチャンネルを用いるほど使用効率は低くなる）との間のバランスを取ることができる。この方法により、動的に生成されるターゲット集合内のチャンネル数を、負荷の大きな都市エリアでは比較的少数のＣＤＭＡチャンネルに制限し、負荷の小さな地方の離れたエリアではＣＤＭＡチャンネルに一層大きな集合のサイズ制限を定義してよい。
【００１９】
したがって、上記の詳細では、ソースＢＳＣは移動局のＢＳＳ間またはＢＳＳ内のＨＨＯのための特に識別されたチャンネルの集合としてＨＨＯターゲット集合を動的に生成してよく、または特に識別されたセルとしてＨＨＯターゲット集合を生成してよい。ターゲット集合を生成するこの後者の実施の形態はＢＳＳ間ＨＨＯで有用であろう。この場合は、ソースＢＳＣはターゲット・システム内の特定のチャンネルの適合性を決定することができないので、ターゲット・セルを単にターゲット・システムと識別してよい。これに応じて、ターゲットＢＳＣは用いる特定のチャンネルを識別して、移動局に報告するためにセルＩＤとターゲット周波数とをソースＢＳＣに返す。
【００２０】
一般に、本発明は移動局のハード・ハンドオフのためにターゲットを動的に生成するものであって、複雑で静的に形成されたＨＨＯターゲット情報をネットワークに与える必要がない。或る例示的な実施の形態では、各ＢＳＳ内のＢＳＣは本発明の方法を実現するコンピュータ命令をプログラムまたはその他の形で与えられるので、例示的な「ソース」ＢＳＣはサポートする移動局について１つ以上の上記の例示的な実施の形態に従ってＨＨＯターゲット集合情報を動的に生成する。すなわち、例示的なＢＳＣは、ＢＳＣがサポートする或る移動局のＨＨＯターゲット集合を、その移動局のＨＨＯトリガに応じて動的に生成するよう形成された処理および制御回路を含む。
【００２１】
ＢＳＳ間ＨＨＯが必要な（または好ましい）ときは、動的に生成されたターゲット情報は、現在の資源の利用可能性に従って、割当てエンティティ（例えば、ターゲットＢＳＣ）が最終ターゲット選択に用いるために生成エンティティ（例えば、ソースＢＳＣ）が与えてよい。本発明の１つ以上の例示的な実施の形態についての情報を提供する以下の詳細な説明を読めば、当業者は本発明の更なる詳細と利点とを認識するであろう。
【実施例】
【００２２】
図１は、ＩＳ−２０００ベースのＣＤＭＡ網（ｃｄｍａ２０００）または広帯域ＣＤＭＡ（ＷＣＤＭＡ）網などの無線通信をサポートする簡単ではあるが例示的なＣＤＭＡネットワーク１０を示す。ネットワーク１０はここでセル１２と呼ぶ複数の定義されたサービス・エリア内で無線カバレージを与え、かかる無線カバレージをサポートする無線基地局（ＲＢＳ）１４とこれに関連する基地局コントローラ（ＢＳＣ）１６とを含む。ネットワーク１０は更に、１つ以上の移動体交換局（ＭＳＣ）１８や、ＢＳＳ２０間の呼の設定／切断やハンドオフを調整する他のネットワーク・エンティティを含む。各ＢＳＳはＢＳＣ１６と、ＢＳＣ１６の制御の下に動作する１つ以上の関連するＲＢＳ１４とを備える。
【００２３】
もちろん当業者が認識するように、実際にはネットワーク１０は図示していない多くの他のネットワーク・エンティティまたはエンティティの集団を含んでよい。かかるエンティティは、ＢＳＣ１６とインターネットなどの公共データ網とを結合して通信を可能にするための１つ以上のパケット・データ・サービング・ノード（ＰＤＳＮ）を含むパケット交換コア網（ＰＳＣＮ）を含んでよい。また当業者が認識するように、ネットワーク１０の実際の形態は多数のＭＳＣ１８を含んでよく、また種々のＢＳＣ１６は種々のＭＳＣ１８に関連してよく、また更に、図に示すようなセル毎にＲＢＳを設けるという関係は必要や希望に従って変わってよい。実際のところ、１つのＲＢＳ１４が２つ以上のセル１２を処理することがしばしばあるが、図に示すようなセル毎に１つのＲＢＳという関係を用いると図示や説明が簡単になる。
【００２４】
図に関して述べると、ＢＳＣ１はＲＢＳ１４を制御して複数のセル１２（セル１から８）に無線カバレージを与え、ＢＳＣ２はＲＢＳ１４を制御して別の複数のセル１２（セル９から１４）に無線カバレージを与える。当業者が理解するように、各ＢＳＣ１６により制御されるセル１２の図に示す構成と数とは特別な意味を持たず、単に説明の基礎を与えるものである。セル１２、ＲＢＳ１４、ＢＳＣ１６などのレイアウトに関する全ての詳細は、本発明の範囲から逸れずに必要または希望に従って変えてよい。
【００２５】
しかし、図示したレイアウトに関して続けると、ＢＳＳ１内のセル１から４は「境界」タイプのＣＤＭＡチャンネルを含む。すなわち、これらのセルは隣接するＢＳＳ２のセル９から１１と境を接する。対照的に、ＢＳＳ１のセル５から８またはＢＳＳ２のセル１２から１４は「標準」タイプのＣＤＭＡチャンネルを含む。すなわち、これらのセル・グループのそれぞれの中の各セル１２は同じＢＳＳ２０内の他のセル１２とだけ境を接する。しかしかかる標準チャンネルも、ＣＤＭＡ搬送波周波数に関しては異なってよい。
【００２６】
例えば、図２は共通のＢＳＣ１６の制御の下に動作する２つのＲＢＳ１４（ＲＢＳ１とＲＢＳ２）を示す。ＲＢＳ１はそれぞれが異なる搬送波周波数の３つのＣＤＭＡチャンネル（Ｃｈ１１，Ｃｈ２１，Ｃｈ３１）を与え、ＲＢＳ２は２つのＣＤＭＡチャンネル（Ｃｈ２２，Ｃｈ３２）を与える。このチャンネル命名法では、Ｃｈ１１は搬送波周波数Ｆ１とセル１とで定義されるＣＤＭＡチャンネルを表し、Ｃｈ３２は搬送波周波数Ｆ３とセル２とで定義されるＣＤＭＡチャンネルを表す。以下同じである。図から分かるように、ＲＢＳ１はセル１で３つの搬送波周波数（Ｆ１．．．Ｆ３）を用い、ＲＢＳ２はセル２で２つの搬送波周波数（Ｆ２，Ｆ３）だけを用いる。
【００２７】
したがって、或る移動局２２はソフト・ハンドオフにおいて、Ｃｈ２１およびＣｈ２２でまたはＣｈ３１およびＣｈ３２で同時にサービスを受けてよい（すなわち、多重ＣＤＭＡチャンネル割当て）。言い換えると、搬送波周波数Ｆ２またはＦ３で動作する移動局２２はセル１および２のどちらかまたは両方からその周波数のＣＤＭＡチャンネルでサービスを受けることができる。対照的に、搬送波周波数Ｆ１で動作する移動局はセル１だけからサービスを受ける、すなわち、Ｃｈ１１だけでサービスを受けることができる。なぜなら、セル２では搬送波周波数Ｆ１を利用できないからである。
【００２８】
図に示すシナリオから２つの観察が得られる。第１に、Ｆ２またはＦ３で動作する移動局２２は搬送波周波数の割付けを変更する必要なくセル１とセル２の間を移動することができるし、また現在の無線の状態と資源の利用可能性に従って、同じ移動局２２にＣｈ２１とＣｈ２２の両方でまたはＣｈ３１とＣｈ３２の両方で無線リンク資源を割り付けることにより、ソフト・ハンドオフによりサービスを受けることができる。第２に、セル１からセル２に移動する移動局２２は、搬送波周波数Ｆ１で動作している場合はＦ２かＦ３に割当てを変更する必要がある。かかる周波数の割当て変更はＢＳＳ内ＨＨＯを必要とする。ここで、「内」はＨＨＯの後で呼の制御がＢＳＣ１６に残ることを表す。
【００２９】
かかるＢＳＳ内ＨＨＯとは別に、ＨＨＯの他の主なタイプは異なるＢＳＣ１６が関係する。この場合は、現在の（ソース）ＢＳＣ１６と宛先の（ターゲット）ＢＳＣ１６とが協同して異なるシステム（ＢＳＳ２０）の間で移動局２２をハンドオフする。図１ではＢＳＳ２０が同じネットワーク１０に属するように示しているが、異なるネットワークが関わってもよいことに注意していただきたい。
【００３０】
周波数間、ＢＳＳ間のＨＨＯ機能は、ＢＳＳと通話しながら、隣接ＢＳＳのカバレージ・エリア境界に沿って移動している移動局をハンドオフする機能をＢＳＳに与える。ハンドオフ境界では、ソースＢＳＳとターゲットＢＳＳとに属するセルは異なる周波数割付けと、恐らく異なる帯域クラスで動作することが多い。ＢＳＳ間ハード・ハンドオフではＭＳＣとＢＳＣ−ＭＳＣのＡインターフェース・メッセージが資源割当てに関わることに注意していただきたい。ハンドオフの後、トラフィック・チャンネル終端点（サービス分配ユニット、すなわち、ＳＤＵ）はソースＢＳＳからターゲットＢＳＳに移される。ＭＳＣ間とＭＳＣ内のハード・ハンドオフの違いはＢＳＣに対する透過性である。
【００３１】
対照的に、周波数間、ＢＳＳ内のハード・ハンドオフ機能は、同じＢＳＳ内の或るセル１２（これは移動局の現在のアクティブ集合内のトラフィック・チャンネルが用いるＣＤＭＡ周波数割付けをサポートしない）のカバレージ・エリアに移動しつつある移動局２２にサービスを提供する機能をＢＳＳ２０に与える。したがって、移動局２２が異なる周波数割付け（または帯域クラス）の間で移行し、トラフィック・チャンネル終端点（ＳＤＵ）がハンドオフの前と後で同じＢＳＳ２０に保たれるときにこの機能は働く。ＳＤＵが異なるＢＳＳ２０に移されないということをこの文脈でＢＳＳ内ハンドオフの一般化として用いて、このターゲットアクティブ集合に属するセル１２が多重ＢＳＳ２０に属してよい場合を含める。
【００３２】
かかる例示的なハンドオフの詳細を念頭に置いて、図３は本発明の或る例示的な実施の形態を実行する論理を示す。これはＢＳＳ内およびＢＳＳ間の両方のＨＨＯターゲットを生成する。図に示す論理は一般に、ＢＳＳ間ＨＨＯでは、２つのＢＳＣ１６（例えば、１つの「ソース」ＢＳＣと１つの「ターゲット」ＢＳＣ）を含む。ＢＳＳ内ＨＨＯでは、一般に１つのＢＳＣ１６（例えば、「ソース」ＢＳＣと、「ターゲット」ＢＳＣとして同じＢＳＣ１６）を含むか、または２つ以上のＢＳＣ１６（例えば、１つのＢＳＣ１６を「ソース」ＢＳＣとし、これと他のＢＳＣ１６とを加えて「ターゲット」ＢＳＣとする）を含む。いずれにしても、図３の論理により可能になる全体的なＨＨＯターゲット生成法では、ネットワーク１０は移動局２２のＨＨＯに用いる１つ以上のＣＤＭＡチャンネルまたはセルのターゲット集合を動的に生成することができる。
【００３３】
例として示す処理は、ソースＢＳＣ１６が、現在サポートしている移動局２２の任意の１つのＨＨＯトリガ事象を「待つ」ことから始まる（ステップ１００）。ソースＢＳＣ１６は全ての他の呼処理および制御活動を必要に応じて続けることに注意していただきたい。トリガ事象はＲＴＤ値が最大往復遅延のしきい値を超えた（サポートするＲＢＳ１４から移動局２２が移動して離れる場合など）ことでもよいし、または、例えば移動局２２が報告したパイロット強度測定メッセージ（ＰＳＭＭ）の中に１つ以上のＰＢＵパイロットが存在することでもよい。
【００３４】
或る移動局２２についてのＨＨＯトリガに応じて、ソースＢＳＣ１６は移動局２２のアクティブ集合情報を用いて「共通隣接」セルの集合を生成する（ステップ１０２）。ＨＨＯトリガがＰＢＵベースのトリガの場合は更にＰＳＭＭ情報などを用いる。共通隣接セル集合の生成の詳細はＨＨＯトリガのタイプに応じて変わってよい。したがって、後で詳細に説明するように、共通隣接セル集合の生成はＲＴＤベースのＨＨＯトリガとＰＢＵベースのＨＨＯトリガで変わってよい。
【００３５】
共通隣接セルを識別すると、ソースＢＳＣ１６は対応するＣＤＭＡチャンネル（すなわち、共通隣接セルの集合に関連するＣＤＭＡチャンネル）を識別する（ステップ１０４）。これらのチャンネルは可能なターゲット・チャンネルの第１のすなわち最初の集合と考えてよい。この時点で、または動的ターゲット生成プロセスの後の段階で、ソースＢＳＣ１６はＣＤＭＡチャンネルの状態を考慮してよい。例えば、ソースＢＳＣ１６はチャンネルの状態に関するネットワーク情報（例えば、或るチャンネルを可能なＨＨＯターゲットと考えるべきかどうかの判定において「利用可能」あるいは「利用不可能」である）にアクセスしてよい。同じ情報をプロセスの後の段階に用いて、最終ターゲット集合内のＨＨＯターゲットとして特定のチャンネルを考慮に「入れ」または「外して」よいことに注意すべきである。
【００３６】
好ましくは、ソースＢＳＣ１６は「垂直隣接」チャンネル（もしあれば）を補足してＣＤＭＡチャンネルの最初の集合を増やしてよい（ステップ１０６）。追加する特定の垂直隣接チャンネルは、好ましくはＨＨＯトリガのタイプに依存する。これについては後で詳細に説明する。次に、ソースＢＳＣ１６は可能なターゲット・チャンネルの集合を「評価して」、移動局２２のＨＨＯに用いる「ＨＨＯターゲット集合」として選択する１つ以上の特定のチャンネルを識別する。
【００３７】
例として示す実施の形態では、チャンネルの第１の集合の評価はＣＤＭＡ搬送波周波数によりこれらをグループ化して１つ以上のチャンネル部分集合を作ることを含む。このプロセスにより、ここで「ＳＦＳ」と呼ぶ「同一周波数集合」を生成する（ステップ１０８）。より詳細に述べると、多重搬送波網環境では、チャンネルの第１の集合は２つ以上の搬送波周波数のＣＤＭＡチャンネルを含む可能性があり、最初のＳＦＳ生成は異なる搬送波周波数により部分集合をグループ化することに基づく。
【００３８】
次に、各ＳＦＳを含むチャンネルを評価してそのＳＦＳがＨＨＯに用いるのに適しているかどうかを判定する。すなわち、ＳＦＳを評価して各ＳＦＳの相対的選好を決定してよい（ステップ１１０）。かかる評価に用いてよいデータは、例として示す実施の形態では、垂直隣接チャンネルの数、チャンネル・タイプ、チャンネル状態、システム所属、システム互換性を含む。
【００３９】
例として示すチャンネル・タイプは「標準」と「境界」のチャンネル・タイプを含む。一般に標準タイプ・チャンネルの方が境界タイプ・チャンネルより好ましい。なぜなら、境界チャンネルにハンドオフするとすぐ別のＨＨＯを起こす原因になりうるからである。例として示すシステム所属値は「同一システム」または「外部システム」を含む。外部システムという呼称は現在のＢＳＳ２０以外によりサポートされるチャンネルに対応する。したがって、一般に同一システム・チャンネルの方が外部システム・チャンネルより好ましい。例として示す互換性の値は「互換性あり」と「互換性なし」とを含む。ここで「互換性なし」は単に、対象とする特定のチャンネルを用いて現在のサービス・オプションおよび／または呼の無線構成をサポートすることができないこと、および／またはシステムが異なるプロトコル改定で動作すること、および／または外部セルの個別のＣＤＭＡチャンネル情報が利用可能でないこと、を示す。
【００４０】
各ＳＦＳの評価に基づいてＳＦＳの最も好ましい集合が識別され、この最も好ましいＳＦＳ内の１つ以上のチャンネルをＣＤＭＡチャンネルの動的に生成された「ターゲット集合」として選択し（ステップ１１２）、この動的に生成されたターゲット集合を用いてＨＨＯを試行する（ステップ１１４）。ターゲット集合内に或るチャンネル（またはその関連するセル）を含めることは、それを実際に用いて移動局２２のＨＨＯをサポートすることを意味しないことに注意していただきたい。
【００４１】
例えば、ＢＳＳ間ＨＨＯの場合は、ソースＢＳＣ１６はＨＨＯのためのターゲット・セルの集合を動的に生成して、ターゲットＢＳＣ１６に転送するために、サポートするＭＳＣ１８にこの情報を与えてよい。この時点で、ターゲットＢＳＣ１６は、識別されたターゲット・セルが移動局２２に無線リンクを確立するのに必要な資源を実際に有するかどうか判定する。１つ以上の識別されたセルがかかる資源を有しない場合は、ＨＨＯにおいて移動局２２のＨＨＯのサポートには用いられない。
【００４２】
別の例示的な実施の形態では、動的に生成されたターゲット集合に基づくＨＨＯターゲット情報は移動体支援のＨＨＯ（ＭＡＨＨＯ）をサポートする移動局２２に送られる。したがって、移動局２２は１つ以上のターゲットＣＤＭＡチャンネルを識別する情報を受ける。かかる情報を用いて、移動局２２は１つ以上のターゲット・チャンネルの信号強度を測定して、かかる情報をネットワーク１０に（すなわち、ＢＳＣ１６に）戻す。信号強度情報は移動局２２が１つ以上のターゲット・チャンネルで行ったパイロット信号強度測定に基づく。移動局２２は必要に応じて一時的にその周波数設定を変えて、現在の周波数割付け以外でターゲット・チャンネルの信号強度を測定してよい。
【００４３】
ＢＳＣ１６は移動局２２から戻された信号強度測定情報を受け取り、この情報を用いてＨＨＯターゲット集合を改善し、変更し、またはその他の調整を行ってよい。１つの例示的な実施の形態では、移動局２２から報告されたチャンネルの信号強度が十分でない場合は、ＢＳＣ１６はそのＣＤＭＡチャンネルをターゲット集合から除いてよい。別の例示的な実施の形態では、ＢＳＣ１６は戻された信号強度情報を用いてターゲット集合内のチャンネルの優先度を決めて、報告された信号強度に基づいてチャンネルを選好の順序をランク付けしてよい。
【００４４】
１つ以上の例示的な実施の形態では、ＢＳＣ１６はＢＳＳ内ＨＨＯのために２つのターゲット集合を動的に生成してよい。すなわち、第１は最も好ましいターゲット集合であり、第２は余り好ましくないターゲット集合である。これらの２つのターゲット集合は異なる周波数のＣＤＭＡチャンネルを含んでよい。しかし、ＢＳＣ１６は最適な無線リンク資源割当てを行うのに両ターゲット集合を用いてよく、または第１の一層好ましいターゲット集合から十分な資源が利用できないと判定した場合は第２のターゲット集合を用いてよい。第２のターゲット集合は、最も好ましいターゲット集合に比べて余り好ましくないターゲットの別の集合としてチャンネルの第１の集合から選択してよい。
【００４５】
いずれにしても、上の説明から分かるように、ＣＤＭＡチャンネルの第１のすなわち最初の集合は、少なくとも部分的に共通隣接セル集合を識別しまた垂直隣接チャンネル情報を考慮した上で識別する。図４はＲＴＤベースのＨＨＯトリガの文脈でチャンネルのこの最初の集合を識別する例示の論理を示す。
【００４６】
共通隣接セル集合の識別（上のステップ１０２）は、移動局のアクティブ集合報告で識別されたパイロットに関連するセル毎にネットワーク１０内に記憶されている「隣接リスト」情報の処理を含む（ステップ１２０Ａおよび１２２）。一例として、アクティブ集合が３つのパイロット（Ｐ１、Ｐ２、Ｐ３）を含み、Ｐ１を「トリガするパイロット」と識別すると仮定する。ここで、トリガするパイロットの定義の一例は、そのアクティブ集合パイロットがその定義されたＲＴＤトリガしきい値を超える最小ＲＴＤ値を有することである。Ｐ１がトリガするパイロット（Ｐｔで表す）と仮定すると、例示的な共通隣接セルの識別は次の式に基づく集合処理を含む。
【数１】
2006514477.tif 000003
ただしこの例では、ＣｔはＰ１に関連するセル、ＣｉはＰ２に関連するセルとＰ３に関連するセルである。
【００４７】
したがって、例として示す共通隣接セルは、トリガするパイロットのセルの隣接リスト情報とこれと交差するアクティブ集合内の残りのパイロットに対応する各セルの隣接リスト情報との結合として形成される隣接リスト集合内で識別されるセルである。同じことであるが、共通隣接セル集合はトリガするパイロット・セルの隣接リストとアクティブ集合内の任意の残りのパイロットに関連するセルの隣接リストの結合とを交差させることにより生成してよい。
【００４８】
例として示す処理は、この共通隣接セル集合から、移動局２２の「ソフト」ハンドオフ・ターゲットであるＣＤＭＡチャンネルを含む全てのセルを識別して棄てる（ステップ１２２）。この文脈では、ソフト・ハンドオフ・ターゲットは隣接セル内の同一周波数ＣＤＭＡチャンネルである。かかるソフト・ハンドオフを除いた後、ＣＤＭＡチャンネルの最初の（第１の）集合を、残りの共通隣接セルに対応するＣＤＭＡチャンネルと識別してよい（ステップ１２４）。この時点で、または動的ターゲットの生成プロセスの後の時点で、チャンネル状態（例えば、利用可能、あるいは利用不可能）を用いて、考慮すべきチャンネルの集合から利用不可能なチャンネルを棄ててよい（ステップ１２６）。
【００４９】
例として示す処理は垂直隣接ＣＤＭＡチャンネル（もしあれば）をチャンネルのこの第１の集合に追加するので、例として示すターゲット集合の生成は（１）共通隣接チャンネルまたは（２）垂直隣接チャンネルであるチャンネルの全体集合を考える。上に述べたように、ＲＴＤベースのＨＨＯトリガでは、対象とする垂直隣接チャンネルは移動局の現在割り付けられている搬送波周波数とは異なる搬送波周波数のアクティブ集合パイロットに対応するセル内のＣＤＭＡチャンネルである（ステップ１０６Ａ）。追加すると、処理は上に説明した図３のステップ１０８に進む。
【００５０】
図５は図４と実質的に同じで、動的ターゲット生成で考えるＣＤＭＡチャンネルの最初の集合の生成の一例を示すが、図５はＰＢＵベースのＨＨＯトリガの詳細の例を含む。例えば、共通隣接セルの生成は、「トリガするＰＢＵパイロット」ＮＬＰＢＵｔに対応する隣接リスト情報と、任意の他の報告されたＰＢＵパイロットＮＬＰＢＵｏと移動局のアクティブ集合内で識別されたパイロットＮＬＡＳとに対応する隣接リスト情報の結合との交差に基づく（ステップ１２０Ｂ）。したがって前と同様に、アクティブ集合パイロットに対応するセルの隣接リスト情報を共通隣接セルの生成に用いるが、この場合は集合の優先付けはトリガするアクティブ集合パイロットではなくトリガするＰＢＵパイロットに焦点を当てる。
【００５１】
この文脈では、トリガするＰＢＵパイロットは、全ての報告されたＰＢＵパイロットの中で最大信号強度を有するものと報告されたＰＢＵパイロットと識別してよい。移動局２２が「見る」ＰＢＵパイロットは、移動局２２から送信された例えばＰＳＭＭまたは他のタイプの無線環境報告メッセージでネットワーク１０に報告してよいことに注意していただきたい。いずれにしても、ソフト・ハンドオフの候補セルは前と同様に棄てて（ステップ１２２）、第１の集合内のチャンネルを残りの共通隣接セルに対応するチャンネルと識別する（ステップ１２４）。前と同様に、チャンネル状態に基づいて、特定のチャンネルをこの時点で、または後の時点で、考慮から外してよい。
【００５２】
また前と同様に、垂直隣接チャンネルをチャンネルの第１の集合内に含めてよい（ステップ１０６Ｂ）が、この動作はＰＢＵベースのトリガ文脈では少し変更する。詳しく述べると、対象とする垂直隣接チャンネルはアクティブ集合パイロットの非ＰＢＵ垂直隣接チャンネル、または移動局２２が報告した任意のＰＢＵパイロットの１つ以上の非ＰＢＵ垂直隣接チャンネル、またはそれらの組合せを含む。「非ＰＢＵ」を要求するのはＰＢＵベースのパイロットがユーザ・トラフィックを運ぶことのできる通常のＣＤＭＡチャンネルに一般に関連しないことを単に反映し、したがって搬送波周波数は異なるがトリガするパイロットと技術的に同じセル内にあるＰＢＵパイロットは「垂直隣接チャンネル」であるが、第１の集合には加えない。なぜなら、これはハンドオフをサポートするトラフィック・チャンネル割付けには適さないからである。
【００５３】
図６は、ＲＴＤベースまたはＰＢＵベースのトリガする文脈でチャンネルの第１の集合を処理する一般的な論理の例を示す。第１の集合を含むチャンネルのＳＦＳチャンネル・グループ化を行った後、動的ターゲット集合を生成するには各ＳＦＳを評価して、ターゲット・チャンネル集合を形成するのに用いられる適合性と相対的望ましさに関してこれを特徴付ける。したがって、例として示す第１のステップはチャンネルの一層大きな第１の集合内のＳＦＳの集団を通して「ステップ」するのに用いるルーピング変数ｉを初期化することである。
【００５４】
したがって、ルーピング変数ｉを「０」または他の開始値に初期化してよい（ステップ１３０）。次にＳＦＳ（ｉ）について、チャンネル（垂直隣接または共通隣接チャンネルに区別される）の混合を決定する（ステップ１３２）。次のＳＦＳ（ｉ）の処理は、１つ以上の網パラメータに従ってＳＦＳ（ｉ）内のチャンネルを特徴付けることである（ステップ１３４）。或る例示の実施の形態では、ＳＦＳ（ｉ）の特徴付けは、中に含まれるチャンネル・タイプ（標準または境界）や、その含まれるチャンネルのシステム所属（同一または外部）や、チャンネル互換性（例えば、現在の移動局サービス・オプションがサポートされるかどうか）に基づいて行う。
【００５５】
かかるＳＦＳの特徴付けの１つの方法はチャンネル重み付けシステムを用いることを含む。この場合、ＳＦＳ（ｉ）内の各チャンネルにＨＨＯターゲットとして用いるための相対的選好を反映する重み値を割り当てる。或る例示的な重み付けシステムでは、垂直隣接チャンネルに共通隣接チャンネルより高い重みを付けてよい。同様に、同一システム・チャンネルに外部システム・チャンネルよりも高い重みを付けてよい。
【００５６】
いずれにしても、ＳＦＳ（ｉ）内の個別のチャンネルの例示的な重み付けはその全体の魅力を反映し、したがってチャンネル・タイプやシステム所属などを考慮して構築してよい。次にこの方法では、ＳＦＳ（ｉ）の累積的すなわち全体の「重み」をＳＦＳ（ｉ）内の個別のチャンネルのチャンネル重みの結合として決定し、または何らかの他のチャンネル重み結合方法に基づいて決定してよい。次の処理は、他のＳＦＳが残っているかどうかを判定することである（ステップ１３６）。残っている場合は、ルーピング変数ｉを増分し（ステップ１３８）、次のＳＦＳ（ｉ）を上に述べたようにして評価する。最後のＳＦＳの評価が終わると、次の処理として、ＳＦＳの最も好ましい集合の１つ以上のチャンネルを、動的に生成されたターゲット集合として選択する（図３のステップ１１２）。
【００５７】
ＳＦＳを比較してターゲット・チャンネル集合を選択するために各ＳＦＳを分類する或る例示的なアルゴリズムは以下の高レベルの規則すなわち原理により支配される。まず、ＢＳＳ内ＨＨＯの条件が良い場合はＢＳＳ間ＨＨＯよりＢＳＳ内ＨＨＯの方が良い。ＢＳＳ内ＨＨＯの条件が良いのは、ＳＦＳ（ｉ）内のチャンネル・タイプの全てが境界タイプではなく、またトリガするチャンネルの垂直隣接（ＶＮ）チャンネルが境界タイプ・チャンネルでない場合である。
【００５８】
非互換性の外部セルは、ソース・システムと互換性のない外部システムに属する考慮対象のセルである。ＳＦＳ内のチャンネルに対応する非互換性の外部セルが存在することを示すためのフラグを保持してよい。ＢＳＳが互換性がないと見なされるのは、ＢＳＳが現在の呼のサービス・オプションおよび／または無線構成をサポートしない場合、および／またはＢＳＳが異なるプロトコル改定で動作する場合、および／または外部セルの個別のＣＤＭＡチャンネル情報が利用できない場合である。かかるセルへのＨＨＯはＢＳＳ間ＨＨＯタイプでなければならない。したがって、かかるセルの存在は最高に準じる選好に対応する。なぜなら、これは恐らく第１になぜＨＨＯが必要かを示すからである。ＨＨＯをトリガする別の理由は搬送波周波数カバレージが不連続だからである。
【００５９】
選好方式の別の要素は境界チャンネルをターゲットとして用いるのを回避することである。例えば、動的に生成されたターゲット集合内の全てのチャンネルが境界タイプ・チャンネルである場合は、現在のＨＨＯが完了した直後に他のＨＨＯがトリガされる可能性が大きい。したがって、全てが境界タイプのチャンネルでハンドオフすると、ＨＨＯのピンポンを始める恐れがある。詳しく述べると、選好方式は、トリガするチャンネルの垂直隣接チャンネルでもある境界タイプ・チャンネルを使用することを避ける。かかる回避の理由は、かかるチャンネルが境界タイプ・チャンネルの場合は、ネットワーク・オペレータがそのチャンネルをＨＨＯターゲットとして用いるのを避けたいことを一般に示すからである。
【００６０】
また、例として示す選好方式は垂直隣接チャンネルの方が共通隣接チャンネル（上に述べたように共通隣接セルに対応するチャンネルである）より好ましいと考える。かかる選好の理由は、一般に垂直隣接チャンネルの方が共通隣接チャンネルより良いＢＳＳ内ＨＨＯターゲットだからである。
【００６１】
ＳＦＳ内の全ての垂直隣接チャンネルが境界タイプの場合、またはトリガするチャンネルの垂直隣接チャンネルが境界タイプで、チャンネルの第１の集合において定義された集合サイズ制限に達している場合は、少なくとも１つの標準タイプの外部セルが存在するならＢＳＳ間ＨＨＯの方がＢＳＳ内ＨＨＯより良い。この選好の基準は、ＢＳＳ内ＨＨＯでは上に述べたようなピンポンの恐れがあることである。したがってかかる環境では、それが可能なら呼（移動局の接続）を外部システムに完全に移す「方が良い」。最後に或る例示的な実施の形態では、ターゲット集合を全て境界タイプのセルとして生成することが最後の手段として許される。
【００６２】
図７はターゲット集合の生成を決定するための、上の説明と一致する或る例示的な方法を示す。この場合は種々の生成の事例をＰｘで表し、上から下に降順の選好をリストしている。事例Ｐ１が満たされるのは、トリガするチャンネルの垂直隣接チャンネルが境界タイプ・チャンネルでなく、またＳＦＳ内に少なくとも１つの標準の垂直隣接チャンネルがあった、という任意のＳＦＳが存在する場合である。事例Ｐ１が満たされると、ソースＢＳＳ２０はＢＳＳ内ＨＨＯを試行する。
【００６３】
事例Ｐ２が満たされるのは、上に説明した異なるシステム（外部システム所属）フラグがセットされている任意のＳＦＳが存在する場合である。すなわち、ソースＢＳＳと少なくとも１つの外部ＢＳＳとの間にシステム能力（サービス・オプション・サポート）に関して何らかの非互換性がある、またはＣＤＭＡプロトコル改定、またはＳＦＳ内の少なくとも１つの外部システム・チャンネルのタイプ（境界、標準、ビーコン）が未知である場合である。事例Ｐ２が満たされると、同時に事例Ｐ１が満たされない場合は、ソースＢＳＳ２０はＢＳＳ間ＨＨＯを試行する。
【００６４】
降順の選好について続けると、事例３が満たされるのは、任意のＳＦＳが少なくとも１つの標準タイプの共通隣接チャンネルを含み、かつ垂直隣接チャンネルを含まない場合であり、事例４が満たされるのは、任意のＳＦＳが少なくとも１つの境界タイプの垂直隣接チャンネルと少なくとも１つの標準タイプの共通または垂直の隣接チャンネルを含む場合である。事例３または４が満たされる場合は、ソースＢＳＳ２０はＢＳＳ内ＨＨＯを試行する。これに失敗した場合、事例５が満たされるのは、任意のＳＦＳが、全てが境界タイプである垂直隣接チャンネルを含み、更に少なくとも１つの外部システムの共通隣接チャンネルを含む場合である。事例５が満たされると、ソースＢＳＳ２０はＢＳＳ間ＨＨＯを試行する。全ての他の場合（事例Ｐ６）は、ソースＢＳＳ２０はＢＳＳ内ＨＨＯを試行する。
【００６５】
図７に示しまた上に説明した例示的な論理は次のように解釈すべきである。全ての可能なターゲット周波数を所定の事例Ｐｉについて考慮し、少なくとも１つの搬送波周波数がそのＰｉを満たす場合は、その次の選好（余り好ましくない事例）は無視する。最も好ましい事例Ｐｉの条件を満たす表の列は試行するＨＨＯのタイプ（ＢＳＳ内またはＢＳＳ間）を決定する。当業者が認識するように、上に説明した集合評価は変わる可能性があり、また本発明のより広い目的は従来のネットワークで用いられているような静的に形成されたＨＨＯターゲット情報を用いるのではなくＨＨＯターゲット集合を動的に生成することである。同様に、図８は、本発明をサポートするのに用いてよいＢＳＣ機能構成を示す図の例と理解すべきである。更に、図８は簡単化された図であることに注意していただきたい。なぜなら、低レベルのＢＳＣの詳細は装置のメーカによって異なり、いずれにしても本発明を理解するのに関係ないからである。
【００６６】
またここに述べたように、特にＢＳＳ間ＨＨＯでは、ソースＢＳＣ１６はターゲット・セル識別（ＩＤ）に関してターゲット集合情報を生成してよい。例えば或る簡単な実施の形態では、ターゲットＢＳＣ１６は上に生成された共通隣接セル集合のＩＤを報告してよい。必要または希望に応じて垂直隣接チャンネルのセルＩＤを追加して、ターゲット・セル集合ＩＤをターゲットＢＳＣ１６に報告してよい（例えばターゲット・セルＩＤを関連するＭＳＣ１８に報告することにより）。次にターゲットＢＳＣ１６はターゲット・セル集合ＩＤ情報を用いて、ターゲット・セル内のどのＣＤＭＡチャンネルをＨＨＯのために選択すべきかを決定する。次にターゲットＢＳＣ１６は、セルＩＤ（全てのターゲット・セルを用いなくてよい）とＨＨＯに用いられる選択された周波数とをソースＢＳＣ１６に報告する。また、ターゲットＢＳＣ１６はターゲット集合情報をターゲット・チャンネル情報ではなくセルＩＤ情報として生成してよい。例えば、チャンネルの第１の集合内のチャンネルの好ましい部分集合内の１つ以上のチャンネルについてチャンネル情報が利用できない場合は、ターゲットＢＳＣ１６は単にこれらのチャンネルのフラグを立て、その対応するセルＩＤを記憶し、特定のチャンネルを報告するのではなくこれらのチャンネルのセルＩＤをターゲット集合情報として報告する。
【００６７】
上の例示的な実施の形態を念頭に置いて、図８はソースまたはターゲットの役割において本発明をサポートするＢＳＣ１６の例示的な機能的構成を示す。図に示すように、ＢＳＣ１６は制御および処理資源４０（例えば、処理および制御回路）、切替え資源４２、ＭＳＣインターフェース４４、およびＲＢＳインターフェース４６を備える。一般に、ＢＳＣ１６と他のネットワーク・エンティティとの間のエンティティ間インターフェース（ＭＳＣインターフェース４４やＲＢＳインターフェース４６など）は、該当する場合は、相互運用性標準（ＩＯＳ）により定義された標準に従う。
【００６８】
制御および呼処理資源４０はハードウエアとソフトウエアとの混合で構成してよく、専用および汎用の処理資源と記憶要素とを含んでよい。好ましくは、ＢＳＣ１６は本発明をサポートする情報を備える。これは、隣接リスト・データや、セル・タイプ・データや、本発明に関連する種々の処理および制御タスクを実現するためのコンピュータ読取り可能な媒体内に記憶されたコンピュータ命令などを含む。したがって或る例示的な実施の形態では、制御および処理資源は１つ以上のマイクロプロセッサまたはその他のディジタル論理回路とこれに関連するサポート回路とを含む。これらは、本発明に係るＨＨＯのターゲット・チャンネル集合の動的な生成をサポートするハード・ハンドオフ・コントローラとしての機能をサポートする記憶されたプログラム命令とサポート・データとにアクセス可能である。したがって、ここで用いる「ハンドオフ・コントローラ」という用語はＢＳＣ１６内の１つ以上の処理要素とサポート回路とを含むと広く解釈しなければならない。
【００６９】
ＢＳＣ回路は、ＭＳＣインターフェース４４とＲＢＳインターフェース４６との間の例えば制御およびトラフィック信号をサポートする、インターフェースおよび切替え処理または制御要素を更に含んでよい。切替え資源４２は、例えばＢＳＣ１６の呼トラフィックおよび制御の経路を選択するＡＴＭベースの切替え構造として実現してよい。
【００７０】
しかし上に述べたように、かかるＢＳＣ実現の詳細は単なる例であって、必要または希望に従って変えてよい。実際のところ、本発明は必要または希望に従って、特に共通隣接およびターゲット集合の生成に関連する実現の詳細に関して変えてよい。このように、本発明は静的に形成されたターゲット集合情報に基づくのではなく、移動局の現在の無線の状態とセル・タイプ情報、および／または他のネットワーク・トポロジーと周波数情報、更にターゲット資源の利用可能性などに基づくＨＨＯターゲットの動的生成を広く含むものである。したがって、本発明は上の例示的な詳細に制限されるものではなく、特許請求の範囲とその同等なものの範囲のみにより制限されるものである。
【図面の簡単な説明】
【００７１】
【図１】多重搬送周波数を用いる或る例示的なＣＤＭＡ網の図である。
【図２】種々のセル内でＣＤＭＡ搬送周波数の種々の集合の使用を示す或る例示的なＢＳＣ／ＲＢＳ構成の図である。
【図３】本発明の或る例示的な実施の形態の論理図である。
【図４】ＲＴＤベースのＨＨＯトリガのためにターゲット・チャンネルを識別するのに用いるセルの第１の集合を生成する或る例示的な図である。
【図５】ＰＢＵベースのＨＨＯトリガのためにターゲット・チャンネルを識別するのに用いるセルの第１の集合を生成する或る例示的な図である。
【図６】ＨＨＯターゲット集合の生成の一部としてチャンネル部分集合を評価する或る例示的な図である。
【図７】ＨＨＯタイプを決定する或る例示的な図である。
【図８】本発明に係る、ＢＳＣの機能的構成の或る例示的な図である。
【図１】
2006514477.tif 000004
【図２】
2006514477.tif 000005
【図３】
2006514477.tif 000006
【図４】
2006514477.tif 000007
【図５】
2006514477.tif 000008
【図６】
2006514477.tif 000009
【図７】
2006514477.tif 000010
【図８】
2006514477.tif 000011
【国際調査報告】
2006514477.tif 000012
2006514477.tif 000013
2006514477.tif 000014
2006514477.tif 000015
2006514477.tif 000016